(57)【要約】【課題】  窯業製品製又は石材製の被固定材に打ち込むことができ、これらの被固定材に固定部材を固定することができるタッピングねじ及び当該タッピングねじを用いた固定方法を提供する。【解決手段】タッピングねじ１は、窯業製品製又は石材製の被固定材に打ち込むためのタッピングねじ１であって、引張強さが７２０Ｎ／ｍｍ２を超える金属製であり、先端部７から所定範囲のねじ山５に切り込み部８が形成されている。【選択図】図１
2019032015.tif 000002
【特許請求の範囲】
【請求項１】
窯業製品製又は石材製の被固定材にねじ込まれるタッピングねじであって、
引っ張り強さが７２０Ｎ／ｍｍ２を超える金属製であり、
先端部から所定範囲のねじ山に切り込み部が形成されていることを特徴とするタッピングねじ。
【請求項２】
前記切り込み部は、ねじの周回り方向に等間隔で複数形成され、
先端部から３ピッチ以上のねじ山に形成されることを特徴とする請求項１に記載のタッピングねじ。
【請求項３】
固定部材を窯業製品製又は石材製の被固定材に固定する固定方法であって、
請求項１又は請求項２に記載のタッピングねじを、前記固定部材に形成された貫通孔に挿入し、
当該タッピングねじを前記被固定材に形成された下穴に締結することを特徴とする固定方法。
【請求項４】
前記被固定材は、煮沸または減圧による強制吸水率が３．０パーセント未満の磁器製であることを特徴とする請求項３に記載の固定方法。
【請求項５】
外壁下地材又は内壁下地材の表面に装飾材として前記被固定材を貼り付け、
前記タッピングねじを、前記固定部材に形成された前記貫通孔に挿入し、当該タッピングねじを前記被固定材に形成された前記下穴に締結することで、前記被固定材に前記固定部材を固定し、その後、前記固定部材に所望の物品を固定することを特徴とする請求項３又は請求項４に記載の固定方法。
【請求項６】
前記被固定材が外壁下地材又は内壁下地材の表面に固定される平板状の装飾材であり、
前記被固定材の裏面に前記下穴を形成し、
前記貫通孔が形成された前記固定部材を一部が前記被固定材からはみ出すように当該被固定材の裏面に重ね合わせて配置し、
前記貫通孔に前記タッピングねじを挿入して、当該タッピングねじを前記下穴に締結して、前記固定部材を前記被固定材に固定し、
前記被固定材を前記外壁下地材又は前記内壁下地材の表面に配置して、前記固定部材の前記被固定材からはみ出た部分を前記外壁下地材又は前記内壁下地材にビス固定することを特徴とする請求項３又は請求項４に記載の固定方法。
【発明の詳細な説明】
【技術分野】
【０００１】
本発明は、窯業製品製又は石材製の被固定材に打ち込むタッピングねじ及び当該タッピングねじを用いて被固定材に固定部材を固定する固定方法に関する。
【背景技術】
【０００２】
従来より、陶磁器などの窯業製品や石材製品にタッピングねじを固定することは困難であり、窯業製品や石材製品などの被固定材に金具などの固定部材を固定する場合には、予め被固定材に内部が広がった下穴を形成しておき、当該下穴にブラインドリベットを挿入し、心棒を引きぬくことで、下穴に挿入された部分を広げてカシメ固定する固定方法が知られている（特許文献１参照）。
【先行技術文献】
【特許文献】
【０００３】
【特許文献１】特開平１０−３２５４０４号公報
【発明の概要】
【発明が解決しようとする課題】
【０００４】
ところで、上述のようなブラインドリベットによるカシメ固定は、下穴の内部を広げる必要があるので下穴の形成作業に手間がかかる。また、ブラインドリベットは下穴内に挿入した部分が、心棒の引き抜きによって十分に広がるように変形する必要があるので、例えばステンレスのような硬い金属を用いることが難しく、ブラインドリベットに用いられる材料は限定されるので、使用する箇所によっては必要な耐腐食性や強度を得ることができない。
【０００５】
そこで、本発明は、窯業製品製又は石材製の被固定材に打ち込むことができ、これらの被固定材に固定部材を固定することができるタッピングねじ及び当該タッピングねじを用いた固定方法を提供することを目的とする。
【課題を解決するための手段】
【０００６】
本発明のタッピングねじは、窯業製品製又は石材製の被固定材に打ち込むためのタッピングねじであって、引張強さが７２０Ｎ／ｍｍ２を超えており、先端部から所定範囲のねじ山に切り込み部が形成されていることを特徴としている。
【０００７】
本発明のタッピングねじは、前記切り込み部は、ねじの周回り方向に等間隔で複数形成され、先端部から３ピッチ以上のねじ山に形成されることを特徴としている。
【０００８】
本発明の固定方法は、固定部材を窯業製品製又は石材製の被固定材に固定する固定方法であって、上記いずれかのタッピングねじを、前記固定部材に形成された貫通孔に挿入し、当該タッピングねじを前記被固定材に形成された下穴に締結することを特徴としている。
【０００９】
本発明の固定方法は、前記被固定材は、煮沸または減圧による強制吸水率が３．０パーセント未満の磁器製であることを特徴としている。
【００１０】
本発明の固定方法は、外壁下地材又は内壁下地材の表面に装飾材として前記被固定材を貼り付け、前記タッピングねじを、前記固定部材に形成された貫通孔に挿入し、当該タッピングねじを前記被固定材に形成された下穴に締結することで、前記被固定材に前記固定部材を固定し、その後、前記固定部材に所望の取付具を固定することを特徴としている。
【００１１】
本発明の固定方法は、前記被固定材が外壁下地材又は内壁下地材の表面に固定される平板状の装飾材であり、前記被固定材の裏面に下穴を形成し、貫通孔が形成された固定部材を一部が前記被固定材からはみ出すように当該被固定材の裏面に重ね合わせて配置し、当該貫通孔に前記タッピングねじを挿入して、当該タッピングねじを前記下穴に締結して、前記固定部材を前記被固定材に固定し、前記被固定材を前記外壁下地材又は前記内壁下地材の表面に配置して、前記固定部材の前記被固定材からはみ出た部分を前記外壁下地材又は前記内壁下地材にビス固定することを特徴としている。
【発明の効果】
【００１２】
本発明のタッピングねじによると、引張強さが７２０Ｎ／ｍｍ２を超えており、先端部から所定範囲のねじ山に切り込み部が形成されていることで、窯業製品製又は石材製の被固定材に下穴を開けるだけでセルフタッピングでねじ込むことができる。
【００１３】
本発明のタッピングねじによると、切り込み部がねじの周回り方向に等間隔で複数形成され、先端部から３ピッチ以上のねじ山に形成されるので、タッピングねじを被固定材により小さなトルクでねじ込むことができ、被固定材の割れやタッピングねじの潰れを抑制することができる。
【００１４】
本発明の固定方法によると、タッピングねじを、固定部材に形成された貫通孔に挿入し、当該タッピングねじを被固定材に形成された下穴に締結するので、固定部材を簡単に被固定材に固定することができる。
【００１５】
本発明の固定方法によると、被固定材が、強制吸水率３．０パーセント未満の磁器製であるので、例えば磁器タイルのように硬い被固定材に様々な固定部材を簡単に固定することができる。
【００１６】
本発明の固定方法によると、外壁下地材又は内壁下地材の表面に装飾材として被固定材を貼り付けて、タッピングねじを固定部材に形成された貫通孔に挿入し、当該タッピングねじを前記被固定材に形成された下穴に締結することで、被固定材に固定部材を固定し、その後、固定部材に所望の取付具を固定するので、外壁又は内壁の表面装飾材が例えばタイルなどの窯業製品である場合や大理石などの石材製である場合にも、例えばフック金具や受け金具などの固定部材を簡単に固定することができるので、外壁面や内壁面に取り付けたい所望の取付具を簡単に取り付けることができる。
【００１７】
本発明の固定方法によると、被固定材が外壁下地材又は内壁下地材の表面に固定される装飾材であり、被固定材の裏面に下穴を形成し、貫通孔が形成された固定部材をその一部が被固定材からはみ出すように被固定材の裏面に重ね合わせて配置し、貫通孔にタッピングねじを挿入して、当該タッピングねじを下穴に締結して、固定部材を被固定材に固定し、被固定材を外壁下地材又は内壁下地材の表面に配置して、固定部材の被固定材からはみ出た部分を外壁下地材又は内壁下地材にビス固定するので、簡単且つ確実に装飾パネルを外壁下地材又は内壁下地材に固定することができる。
【図面の簡単な説明】
【００１８】
【図１】タッピングねじの外観構成を示す斜視図。
【図２】タッピングねじを先端部側から見た状態を示す図。
【図３】タッピングねじの側面図。
【図４】第１の実施形態の固定方法において、固定部材の貫通孔に挿入したタッピングねじを被固定材の下穴にねじ込む前の状態を示す断面図。
【図５】第１の実施形態の固定方法において、タッピングねじを下穴にねじ込んで固定部材を被固定材に固定した状態を示す断面図。
【図６】第２の実施形態の固定方法において、貫通孔が形成された固定部材を一部が被固定材からはみ出すように被固定材の裏面に重ね合わせて配置した状態を示す斜視図。
【図７】固定部材を被固定材にタッピングねじで固定した状態を示す断面図。
【図８】固定部材を裏面に固定した被固定材を外壁下地材又は内壁下地材の表面に配置した状態を示す断面図。
【図９】固定部材の被固定材からはみ出た部分を外壁下地材又は内壁下地材にビス固定した状態を示す断面図。
【図１０】被固定材同士の間の目地にモルタルなどの目地材を充填し、ビス及び固定部材を外側から見えないように隠して、外壁又は内壁の装飾を完了した状態を示す断面図。
【発明を実施するための形態】
【００１９】
以下、本発明に係るタッピングねじ１及び固定方法の最良の実施形態について各図を参照しつつ説明する。タッピングねじ１は、雌ねじが切られていない下穴２にねじ込み可能なねじである。タッピングねじ１は、図１から図３に示すように、拡径された頭部３と螺旋状のねじ山５が形成されたねじ部４とを有する。頭部３には、プラス溝６が形成された円盤状である。なお、頭部３の形状はプラス溝６に限定されるものではなく、工具から回転トルクを伝達できる形状であればどのような形状であってもよい。ねじ山５は例えば１ｍｍ程度のピッチで、外径が例えば４．８ｍｍに形成されている。タッピングねじ１の先端部７は角が面取りされた平坦に形成されている。
【００２０】
タッピングねじ１は、先端部７から４ピッチの範囲のねじ山５に、ねじの周回り方向に等間隔で４箇所ずつ切り込み部８が形成されている。切り込み部８はＶ字状に形成されており、ねじ山５から谷底に届くように切り込まれている。なお、切り込み部８が形成される範囲は、ねじの先端部７から所定の範囲であればよく、４ピッチに限定されるものではない。また、切り込み部８が形成される数はねじの周回り方向に１周につき４箇所に限られるものではなく３箇所以下又は５箇所以上であってもよい。
【００２１】
タッピングねじ１はその材料が常温で７２０Ｎ／ｍｍ２を超える引っ張り強さを有しており、好ましくは７５０Ｎ／ｍｍ２以上である。タッピングねじ１の材料としては、高強度で耐腐食性に優れたステンレス鋼が好ましく、例えば、新日鐵住金ステンレス株式会社のＮＳＳＣ（登録商標）２７０Ｒを用いることができる。
【００２２】
以上のようなタッピングねじ１を用いて被固定材９に固定部材１０を固定する固定方法の第１の実施形態について説明する。被固定材９は、例えば図示しない外壁下地材又は内壁下地材の表面に貼り付けられる装飾材である。被固定材９は、窯業製品製又は石材製である。窯業製品は、例えば粘土、ケイ砂、石灰岩などの非金属原料を高熱処理して得られる建物やインテリア・エクステリアの装飾材である。窯業製品としては例えば、陶器、磁器、瓦、ガラスなどが含まれる。また、石材も、建物やインテリア・エクステリアの装飾材として用いられる。石材は、例えば花コウ岩、安山岩、凝灰岩、蛇紋石、大理石等が含まれる。本実施形態における被固定材９は特にJIS A 1509-3における煮沸法又は真空法による試験での強制吸水率３．０パーセント以下の磁器製タイルであることが好ましい。
【００２３】
また、外壁下地材や内壁下地材は、例えばコンクリート壁や、鋼製又は木製の壁下地材である。これらの壁下地材の表面には装飾材としての被固定材９が貼り付けられている。被固定材９と壁下地材とは例えば接着剤によって固定されてもよく、又は予め型枠に被固定材９を配置してコンクリートを打設することによって一体化してもよい。
【００２４】
また、固定部材１０は本実施形態においてはフック金具である。このような固定部材１０を内外壁の表面の装飾材としての被固定材９に固定することで、内外壁の表面が磁器製であるような場合であっても、例えば、装飾品の額縁などの壁面に吊り下げたい物品を吊り下げることができる。なお固定部材１０はフック金具に限られるものではなく、壁面に取り付けたい物品を固定することができる様々な取付金具であっても良い。
【００２５】
固定方法は、まず、図示しないが外壁下地材又は内壁下地材の表面に被固定材９を貼り付ける。そして、図示しないドリルで、当該被固定材９に下穴２を形成する。下穴２はタッピングねじ１の外径よりも小さく、且つタッピングねじ１の谷径よりも大きい円形に掘られる。そして、図４に示すように、固定部材１０に設けられた貫通孔１２にタッピングねじ１を挿入し、その後、図５に示すように、タッピングねじ１を被固定材９に形成された下穴２に締結する。タッピングねじ１は、引っ張り強さが７２０Ｎ／ｍｍ２を超えており、且つ、先端部７から所定範囲のねじ山５に切り込み部８が形成されているので、窯業製品製又は石材製の装飾材のような硬質な材料製の被固定材９にも固定することができる。
【００２６】
なお、被固定材９は上述のような内外壁の装飾材に限定されるものではない。被固定材９は、例えば、窯業製品製又は石材製のテーブルなどの家具の天板であってもよく、本実施形態の固定方法は例えばテーブルの天板に脚を固定する方法であっても良い。また被固定材９が家具や室内装飾品そのものであってもよい。
【００２７】
次にタッピングねじ１を用いて被固定材９に固定部材１０を固定する固定方法の第２の実施形態について説明する。第１の実施形態と同様の構成については同一の符号を付して説明を省略する。被固定材９は、例えば外壁下地材１１又は内壁下地材１１の表面に貼り付けられる装飾材である。被固定材９は、窯業製品製又は石材製である。本実施形態における被固定材９は特に吸水率３．０パーセント未満の磁器製タイルであることが好ましい。また、外壁下地材１１や内壁下地材１１は、例えばコンクリート壁や、鋼製又は木製の壁下地材である。
【００２８】
固定部材１０は装飾パネルである被固定材９を内壁下地材１１又は外壁下地材１１に固定するための平板な固定プレートである。固定部材１０にはタッピングねじ１を挿入する貫通孔１２と、内壁下地材１１又は外壁下地材１１に固定するためのビス孔１３とが形成されている。
【００２９】
本実施形態の固定方法は、まず、被固定材９の裏面に下穴２を形成する。そして、図６に示すように、貫通孔１２が形成された固定部材１０を一部が被固定材９からはみ出すように当該装飾パネルの裏面に重ね合わせて配置する。このとき、被固定材９は、固定部材１０の貫通孔１２と被固定材９の裏面に形成された下穴２とが重なる位置に配置される。
【００３０】
そして、図７に示すように、固定部材１０の貫通孔１２にタッピングねじ１を挿入して、当該タッピングねじ１を被固定材９の下穴２に締結することで、固定部材１０を被固定材９に固定する。その後、被固定材９の裏面に接着剤１５を塗布し、図８に示すように、被固定材９を外壁下地材１１又は前記内壁下地材１１の表面に配置して、図９に示すように、固定部材１０の被固定材９からはみ出た部分を外壁・内壁下地材１１にビス１４で固定する。このようにビス１４で固定することで単に接着剤だけで固定する場合に比べて施工不良や劣化による剥離を抑制することができる。そして次に、互いに目地間隔を開けて、上下左右に隣接させて被固定材９を外壁・内壁下地材１１に固定する。その後、被固定材９同士の間の目地にモルタルなどの目地材１６を充填し、ビス１４及び固定部材１０を外側から見えないように隠して、外壁又は内壁の装飾を完了する。
【００３１】
このように本実施形態の固定方法によると、簡単且つ確実に装飾パネルとしての被固定材９を外壁・内壁下地材１１に固定することができる。
【００３２】
なお、本発明の実施の形態は上述の形態に限ることなく、本発明の思想の範囲を逸脱しない範囲で適宜変更することができることは云うまでもない。
【産業上の利用可能性】
【００３３】
本発明に係るタッピングねじ１及び固定方法は、例えば磁器製タイルなどの窯業製品製や石材製の被固定材９に固定部材１０を固定するタッピングねじ１及び固定方法として好適に用いることができる。
【符号の説明】
【００３４】
１      タッピングねじ
２      下穴
５      ねじ山
７      先端部
８      切り込み部
９      被固定材
１０    固定部材
１１    下地材
１２    貫通孔
１４    ビス
【図１】
2019032015.tif 000003
【図２】
2019032015.tif 000004
【図３】
2019032015.tif 000005
【図４】
2019032015.tif 000006
【図５】
2019032015.tif 000007
【図６】
2019032015.tif 000008
【図７】
2019032015.tif 000009
【図８】
2019032015.tif 000010
【図９】
2019032015.tif 000011
【図１０】
2019032015.tif 000012